(57)【要約】【課題】電磁力によってレンズを駆動するレンズ駆動装置であって、配線処理が煩雑となり難く、放熱性に優れるレンズ駆動装置を提供する。【解決手段】レンズ駆動装置３０は、ベース１０と、レンズ１５を保持するレンズホルダ３１と、ベース１０上に設けられて、レンズホルダ３１がレンズ１５の光軸方向と平行な方向に移動するように案内するガイド部３２、３５と、前記光軸方向と平行な方向の力をレンズホルダ３１に付与する弾性部３４と、レンズホルダ３１を、弾性部３４によって付与される力に抗して移動可能とする駆動部３３と、を備える。駆動部３３は、レンズホルダ３１に搭載される磁石３３２と、ベース１０に固定配置されて、磁石３３２と協働してレンズホルダ３１に対して駆動力を与えるコイル３３１と、を有する。【選択図】図５
2014093117.tif 000002
【特許請求の範囲】
【請求項１】
ベースと、
レンズを保持するレンズホルダと、
前記ベース上に設けられて、前記レンズホルダが前記レンズの光軸方向と平行な方向に移動するように案内するガイド部と、
前記光軸方向と平行な方向の力を前記レンズホルダに付与する弾性部と、
前記レンズホルダを、前記弾性部によって付与される力に抗して移動可能とする駆動部と、を備え、
前記駆動部は、
前記レンズホルダに搭載される磁石と、
前記ベースに固定配置されて、前記磁石と協働して前記レンズホルダに対して駆動力を与えるコイルと、を有することを特徴とするレンズ駆動装置。
【請求項２】
前記コイルに当接する放熱部を更に備えることを特徴とする請求項１に記載のレンズ駆動装置。
【請求項３】
請求項１又は２に記載のレンズ駆動装置を備えることを特徴とする光ピックアップ。
【請求項４】
請求項２に記載のレンズ駆動装置を備え、
光学部材を覆うカバーが、前記放熱部に含まれることを特徴とする光ピックアップ。
【請求項５】
光源と、前記光源から出射された光を光ディスクの情報記録層に集光する対物レンズと、を備え、
前記レンズ駆動装置が有する前記レンズは、前記光源と前記対物レンズとの間の光路に配置されるコリメートレンズであることを特徴とする請求項３又は４に記載の光ピックアップ。
【発明の詳細な説明】
【技術分野】
【０００１】
本発明は、レンズ駆動装置及び光ピックアップに関する。
【背景技術】
【０００２】
従来、光学装置の中には、レンズを駆動するレンズ駆動装置を備えるものがある。例えば、光ピックアップには、球面収差の影響を抑制する目的で、コリメートレンズ等の可動レンズを光軸方向に駆動するレンズ駆動装置が備えられることがある。このようなレンズ駆動装置は、例えば、ベースと、ベースに対して移動可能に支持されるとともに、レンズを保持するレンズホルダと、レンズホルダを駆動する駆動部と、を備える構成とされる。
【０００３】
駆動部の駆動力は、例えばステッピングモータ等の回転式モータを利用して得られる場合もあるが、磁石の磁界とコイルを流れる電流との相互作用を利用して得られる場合もある（例えば特許文献１参照）。
【先行技術文献】
【特許文献】
【０００４】
【特許文献１】特開２００７−８０３１０号公報
【発明の概要】
【発明が解決しようとする課題】
【０００５】
特許文献１に開示されるレンズ駆動装置では、磁石はベース部材に固定配置され、コイルはレンズホルダに固定配置される。この構成の場合、コイルがレンズホルダとともに移動するために、コイルに電流を供給するために必要となる配線の処理が煩雑となりやすいといった問題がある。また、この構成では、コイルがレンズホルダとともに移動するために、コイルの通電時に発生する熱を放熱し難く、コイル周辺にある光学部品に悪影響を与えやすいといった問題がある。
【０００６】
以上の点に鑑みて、本発明の目的は、電磁力によってレンズを駆動するレンズ駆動装置であって、配線処理が煩雑となり難く、放熱性に優れるレンズ駆動装置を提供することである。また、本発明の他の目的は、電磁力によってレンズを駆動するレンズ駆動装置から発生される熱によって光学部品が悪影響を受けることを防止可能な光ピックアップを提供することである。
【課題を解決するための手段】
【０００７】
上記目的を達成するために本発明のレンズ駆動装置は、ベースと、レンズを保持するレンズホルダと、前記ベース上に設けられて、前記レンズホルダが前記レンズの光軸方向と平行な方向に移動するように案内するガイド部と、前記光軸方向と平行な方向の力を前記レンズホルダに付与する弾性部と、前記レンズホルダを、前記弾性部によって付与される力に抗して移動可能とする駆動部と、を備え、前記駆動部は、前記レンズホルダに搭載される磁石と、前記ベースに固定配置されて、前記磁石と協働して前記レンズホルダに対して駆動力を与えるコイルと、を有する構成（第１の構成）となっている。
【０００８】
本構成によれば、コイルがベースに固定され、磁石が可動式のレンズホルダに搭載される構成になっている。このために、コイルに電力を供給するために必要になる配線の処理が煩雑となり難い。また、本構成によれば、コイルがベースに固定されているために、コイルに通電することによって発生する熱の放熱を図り易い。
【０００９】
上記第１の構成のレンズ駆動装置は、前記コイルに当接する放熱部を更に備える構成（第２の構成）であるのが好ましい。本構成によれば、コイルに通電することによって発生する熱を効率良く放熱できる。本構成によれば、放熱部がベースに固定されるコイルに当接される構成であるために、放熱部の放熱面積を大きくして、コイルで発生する熱を確実に放熱できる。
【００１０】
上記目的を達成するために本発明の光ピックアップは、上記第１又は第２の構成のレンズ駆動装置を備える構成（第３の構成）となっている。本構成によれば、例えば球面収差を補正する目的でレンズ駆動装置を搭載する場合でも、配線処理が複雑となることを抑制可能である。また、本構成によれば、例えば球面収差を補正する目的でレンズ駆動装置を搭載する場合でも、レンズ駆動装置の駆動で発生する熱によって光学部品が悪影響を受けることを防止できる。
【００１１】
また、上記目的を達成するために本発明の光ピックアップは、上記第２の構成のレンズ駆動装置を備え、光学部材を覆うカバーが、前記放熱部に含まれる構成（第４の構成）になっている。本構成によれば、例えば球面収差を補正する目的でレンズ駆動装置を搭載する場合でも、配線処理が複雑となることを抑制可能である。また、本構成によれば、例えば球面収差を補正する目的でレンズ駆動装置を搭載する場合でも、レンズ駆動装置の駆動で発生する熱によって光学部品が悪影響を受けることを防止できる。更に、本構成によれば、光学部材を覆うカバーが放熱部に利用される構成であるために、部品点数の増加を抑制できる。
【００１２】
上記第３又は第４の構成の光ピックアップにおいて、光源と、前記光源から出射された光を光ディスクの情報記録層に集光する対物レンズと、を備えるようにし、前記レンズ駆動装置が有する前記レンズは、前記光源と前記対物レンズとの間の光路に配置されるコリメートレンズである構成（第５の構成）としてもよい。本構成によれば、球面収差を適切に抑制できる構成を実現しやすい。
【発明の効果】
【００１３】
本発明によれば、電磁力によってレンズを駆動するレンズ駆動装置であって、配線処理が煩雑となり難く、放熱性に優れるレンズ駆動装置を提供可能である。また、本発明によれば、電磁力によってレンズを駆動するレンズ駆動装置から発生される熱によって光学部品が悪影響を受けることを防止可能な光ピックアップを提供可能である。
【図面の簡単な説明】
【００１４】
【図１】本発明の実施形態に係る光ピックアップの構成を示す概略平面図
【図２】本発明の実施形態に係る光ピックアップの光学構成を示す概略図
【図３】本発明の実施形態に係る光ピックアップを裏側から見た場合の概略斜視図
【図４】本発明の実施形態に係るレンズ駆動装置の構成を示す概略斜視図
【図５】本発明の実施形態に係るレンズ駆動装置の構成を示す概略平面図
【図６】本発明の実施形態に係るレンズ駆動装置の構成を示す概略平面図で、図５とは異なる方向から見た場合の図
【図７Ａ】本発明の実施形態に係るレンズ駆動装置が備える放熱部の構成の一例を説明するための図
【図７Ｂ】本発明の実施形態に係るレンズ駆動装置が備える放熱部の構成の他の例を説明するための図
【発明を実施するための形態】
【００１５】
以下、本発明のレンズ駆動装置及び光ピックアップの実施形態について、図面を参照しながら説明する。
【００１６】
＜光ピックアップの概略構成＞
図１は、本発明の実施形態に係る光ピックアップ１の構成を示す概略平面図である。図１に示すように、光ピックアップ１は例えば樹脂によって構成されるピックアップベース１０を備える。ピックアップベース１０には、光ピックアップ１を構成する各種の部材が搭載される。ピックアップベース１０の左右の端部には軸受け部１０ａ、１０ｂが設けられている。
【００１７】
ピックアップベース１０は、この軸受け部１０ａ、１０ｂを利用して、ガイドシャフト１０１に摺動可能に支持される。ガイドシャフト１０１は、光ディスク装置（光ディスクの再生及び／又は記録を行うための装置）が備えるものであるために、図１では一点鎖線で示している。光ディスク装置に内蔵された光ピックアップ１は、ガイドシャフト１０１に沿って移動しながら、回転する光ディスク（図１において紙面手前側に配置される）の所望のアドレスにアクセスする。所望のアドレスにアクセスした光ピックアップ１は、光ディスクから情報を読み取ったり、光ディスクに情報を書き込んだりする。
【００１８】
図２は、本発明の実施形態に係る光ピックアップ１の光学構成を示す概略図である。図２に示すように、光ピックアップ１は半導体レーザ１１（本発明の光源の一例）を備える。半導体レーザ１１の種類は、光ピックアップ１が対応する光ディスクの種類によって適宜決定される。例えば、光ピックアップ１がブルーレイディスク（ＢＤ）に対応する場合には、半導体レーザ１１として、波長４０５ｎｍ帯のレーザ光を出射する半導体レーザが選択される。
【００１９】
なお、光ピックアップ１が一種類の光ディスクのみではなく、複数種類の光ディスク（例えばＢＤ、ＤＶＤ、ＣＤの３種類等）に対応する場合には、半導体レーザの数は複数とされてよい。この場合には、光学構成も、本実施形態の構成から適宜変更されて構わず、例えば、光源からの光を光ディスクの情報記録層に集光する対物レンズの数を複数にする等しても構わない。
【００２０】
光ピックアップ１が備える回折素子１２は、半導体レーザ１１から出射されるレーザ光を主光と２つの副光とに分ける（計３つの光に分ける）。回折素子１２は、トラッキングエラー（ＴＥ）信号をＤＰＰ（Differential Push-Pull）方式で得る目的で配置されている。ただし、ＴＥ信号はＤＰＰ方式以外で得てもよく、この回折素子１２は適宜抹消されても構わない。
【００２１】
光ピックアップ１が備える偏光ビームスプリッタ１３は、半導体レーザ１１からの光を反射するとともに、光ディスク（不図示；図２おいて紙面手前側に配置される）からの戻り光を透過する。この偏光ビームスプリッタ１３は、後述の１／４波長板１４と協働して、光の利用効率を向上する役目も担う。場合によっては、偏光ビームスプリッタ１３に代えて、偏光成分を分離できる機能を有さないビームスプリッタや、ハーフミラー等が配置されても構わない。
【００２２】
光ピックアップ１が備える１／４波長板１４は、半導体レーザ１１から出射される直線偏光を円偏光に変換する。また、１／４波長板１４は、光ディスクからの戻り光（円偏光）を直線偏光に変換する。この直線偏光の偏光方向は、半導体レーザ１１から出射される直線偏光の偏光方向を９０°回転した方向である。
【００２３】
光ピックアップ１が備えるコリメートレンズ１５は、詳細は後述するレンズ駆動装置３０によって、光軸方向（図２の左右方向）に移動可能となっている。コリメートレンズ１５の光軸方向の位置の違いによって、コリメートレンズ１５から出射される光（光ディスクへと向かう光）は平行光となったり、収束光或いは発散光となったりする。
【００２４】
光ピックアップ１が備える立ち上げミラー１６は、コリメートレンズ１５からの光を反射して、光の進行方向を変更する。図２においては、立ち上げミラー１６によって反射された光は、紙面手前側に向かう方向に進行する。
【００２５】
光ピックアップ１が備える対物レンズ１７は、立ち上げミラー１６に対して離間配置され（図２では立ち上げミラー１６の手前側にある）、立ち上げミラー１６からの光を光ディスクの情報記録層（不図示）に集光する。対物レンズ１７は、ピックアップベース１０上に配置される対物レンズアクチュエータ４０（図１参照）に搭載される。対物レンズアクチュエータ４０は、対物レンズ１７をフォーカス方向（図１において紙面に対して垂直な方向）及びトラッキング方向（図１において上下方向）に移動可能とする装置である。
【００２６】
光ピックアップ１においては、情報の読み取りや書き込みを行う際に、対物レンズ１７の焦点位置が常に光ディスクの情報記録層に合うようにフォーカシング制御を行う必要がある。また、光ピックアップ１においては、情報の読み取りや書き込みを行う際に、対物レンズ１７によって光ディスクの情報記録層に集光される光スポットの位置が、光ディスクのトラックに常に追随するようにトラッキング制御を行う必要がある。対物レンズアクチュエータ４０は、例えば、これらフォーカシング制御及びトラッキング制御を行う際に用いられる。
【００２７】
対物レンズアクチュエータ４０は、対物レンズ１７を保持するレンズホルダ４１を有し、レンズホルダ４１をワイヤ４２で揺動可能に支持する構成のものである。そして、コイル及び磁石を利用して発生させた力でレンズホルダ４１を動かす（すなわち対物レンズ１７を動かす）ものである。このようなタイプの対物レンズアクチュエータは公知であるので、ここでは、詳細な説明は省略する。なお、対物レンズアクチュエータは、他のタイプ（例えば軸摺動型）のものであっても構わない。
【００２８】
光ピックアップ１が備えるセンサーレンズ１８は、光ディスクからの戻り光に非点収差を与えて、光検出器１９の検出面に戻り光を集光させる。センサーレンズ１８に非点収差を付与する機能を持たせるのは、非点収差方式でフォーカスエラー（ＦＥ）信号を得られるようにするためである。ただし、ＦＥ信号は非点収差方式以外の方法で得られてもよく、センサーレンズ１８は非点収差を付与する機能を有さなくもよい。なお、センサーレンズ１８に入射する戻り光は、対物レンズ１７を透過後、立ち上げミラー１６で反射され、コリメートレンズ１５、１／４波長板１４、偏光ビームスプリッタ１３を、この順で透過した光である。
【００２９】
光ピックアップ１が備える光検出器１９は、受光した光信号を電気信号に変換する光電変換手段として機能する。光検出器１９から出力された電気信号は信号処理部２０に送られる。信号処理部２０において、再生信号、ＦＥ信号、ＴＥ信号等が生成される。制御部２１は、信号処理部２０から得られる信号に基づいて、例えばレンズ駆動装置３０や対物レンズアクチュエータ４０等の制御処理を行う。
【００３０】
図３は、本発明の実施形態に係る光ピックアップ１を裏側から見た場合の概略斜視図である。図３に示すように、光ピックアップ１の裏面側には、光ピックアップ１に搭載される各種の光学部材１２〜１６、１８を覆うカバー５０が配置される。カバー５０は、例えば接着やネジ留め等によってピックアップベース１０に固定される。カバー５０は、埃等の異物がピックアップベース１０の内部に侵入するのを防止する機能を有するが、他の機能も有する。この点は後述する。
【００３１】
上述のように、光ピックアップ１は、コリメートレンズ１５を光軸方向に移動可能とするレンズ駆動装置３０を備える。コリメートレンズ１５を光軸方向に移動可能とするのは、対物レンズ１７に入射する光の収束・発散度合いを調節して、球面収差の影響を適切に抑制するためである。例えば、ＢＤには、厚み方向に複数の情報記録層を有するものがある。情報の読み取り等の対象となる情報記録層が異なると、カバー層の厚みの違いが原因となって球面収差の発生量が変動する。また、特にＢＤ対応の場合、対物レンズ１７が樹脂製であると温度変化に伴う球面収差の発生量の変動が無視できなくなる。これらの理由等のために、例えば光ピックアップ１がＢＤ対応の場合、球面収差を補正する手段が必要となる。すなわち、レンズ駆動装置３０は、球面収差補正機構として光ピックアップ１に導入されている。以下、レンズ駆動装置３０の構成について詳細に説明する。
【００３２】
＜レンズ駆動装置の構成＞
図４は、本発明の実施形態に係るレンズ駆動装置３０の構成を示す概略斜視図である。図５は、本発明の実施形態に係るレンズ駆動装置３０の構成を示す概略平面図である。図６は、本発明の実施形態に係るレンズ駆動装置３０の構成を示す概略平面図で、図５とは異なる方向から見た場合の図である。なお、図４は、レンズ駆動装置３０が搭載された光ピックアップ１を裏返しにして（図３に示すような状態にして）、レンズ駆動装置３０を斜め上方から見た図である。図５は、レンズ駆動装置３０が搭載された光ピックアップ１を裏返しにして、レンズ駆動装置３０を上方から見た図である。図６は、レンズ駆動装置３０が搭載された光ピックアップ１を裏返しにして、コリメートレンズ１５の光軸方向（図５の左右方向）に沿ってレンズ駆動装置３０を見た図である。
【００３３】
レンズ駆動装置３０は、図４から図６に示されるように、レンズホルダ３１と、ガイドシャフト３２と、駆動部３３と、弾性部３４と、ガイドレール３５と、を備える。なお、ピックアップベース１０は、レンズ駆動装置３０のベースも兼ねている。ただし、ピックアップベース１０に代えて、レンズ駆動装置３０専用のベースを別途設ける構成にしても構わない。
【００３４】
レンズホルダ３１は、例えば樹脂成形によって得られる。レンズホルダ３１の形状は、光ピックアップ１の設計段階で適当な形状に決められてよい。レンズホルダ３１には、コリメートレンズ１５を保持する保持部３１ａが設けられている。また、レンズホルダ３１の長手方向（図５の上下方向、図６の左右方向）の一端部寄りには、ガイドシャフト３２が挿通される挿通穴３１ｂ（軸受部）が設けられている。また、レンズホルダ３１の長手方向の他端部には、突起部３１ｃが設けられている。
【００３５】
レンズホルダ３１の挿通穴３１ｂに挿通されるガイドシャフト３２は、その両端部がピックアップベース１０に固定される。ガイドレール３５は、ピックアップベース１０の壁面１０ｃに設けられる溝であり、レンズホルダ３１に設けられる突起部３１ｃと係合する。レンズホルダ３１は、保持部３１ａ（コリメートレンズ１５）を挟むように設けられる、ガイドシャフト３２及びガイドレール３５によって、ピックアップベース１０上に移動可能に支持されている。ガイドシャフト３２及びガイドレール３５は、レンズホルダ３１がコリメートレンズ１５の光軸方向と平行な方向に移動するようにガイド（案内）する。なお、ガイドシャフト３２及びガイドレール３５は、本発明のガイド部の一例である。
【００３６】
なお、本実施形態では、ガイドレール３５が溝である構成を採用しているが、この構成に代えて、ガイドレールが凸部（例えばピックアップベース１０の壁面１０ｃに設けられる）である構成が採用されてもよい。この場合、レンズホルダ３１には、突起部３１ｃではなく、凸形状に設けられるガイドレールに係合する溝部（凹部）が設けられるようにすればよい。また、ガイドレール３５に代えて、ガイドシャフト３２に平行配置される他のガイドシャフトが配置されても構わない。
【００３７】
駆動部３３は、コイル３３１と、磁石３３２と、ヨーク３３３と、を備える。コイル３３１は、ピックアップベース１０に固定配置される（図３参照）。コイル３３１は、配線を介して電力供給部（不図示）に接続されており、これにより、コイル３３１に電流を流すことが可能になっている。コイル３３１がピックアップベース１０に固定されるために、コイル３３１に電流を供給するための配線が煩雑とならない。また、コイル３３１がピックアップベース１０に固定されるためにコイル３３１で発生する熱を放熱し易い。
【００３８】
磁石３３２及びヨーク３３３は、レンズホルダ３１に固定配置される。すなわち、磁石３３２及びヨーク３３３は、レンズホルダ３１と一緒に動く。ヨーク３３３は、平面視略矩形状の貫通穴３３３ａ（図５参照）を備える筒型構造に設けられている。ヨーク３３３は、例えば、側面視略Ｌ字状の２つの磁性片（軟磁性部材）を組み合わせて構成することが可能である。
【００３９】
磁石３３２は、ヨーク３３３の貫通穴３３３ａ内に挿入配置され、２つの磁極（Ｎ極とＳ極）のうちの一方の極側３３２ａが、ヨーク３３３の第１の側壁３３３ｂに磁着している（図５参照）。ピックアップベース１０に固定されるコイル３３１は、ヨーク３３３の第２の側壁３３３ｃ（第１の側壁３３３ｂに対向する側壁）を取り囲むように巻回されている。磁石３３２の他方の極側３３２ｂは、間隔を空けてコイル３３１に対向配置されている。
【００４０】
コイル３３１、磁石３３２、及び、ヨーク３３３は磁気回路を形成する。コイル３３１に電流を流すと、コイル３３１に流れる電流と、磁石３３２が形成する磁界との間の相互作用によって発生する電磁力によって、移動可能に設けられる磁石３３２が動く。すなわち、コイル３３１に電流を流すことによって、磁石３３２が固定配置されるレンズホルダ３１を動かすことができる。コイル３３１に流す電流の向きを変えることによって、レンズホルダ３１を移動させようとする力の向きが反対となる。また、コイル３３１に流す電流の大きさの違いによって発生する電磁力の大きさが変わるために、コイル３３１に流す電流の量を制御することで、レンズホルダ３１の移動量を制御できる。
【００４１】
弾性部３４は、ガイドシャフト３２に遊嵌される圧縮バネによって形成されている。圧縮バネ３４の一端は、レンズホルダ３１に当接する。圧縮バネ３４の他端は、ピックアップベース１０内に設けられる壁１０ｅに当接する。圧縮バネ３４は、レンズホルダ３１に対して、コリメートレンズ１５の光軸方向と平行な方向の力を与える。
【００４２】
コイル３３１に電流が流れていない場合（電磁力が発生していない場合）、レンズホルダ３１は、圧縮バネ３４の付勢力によって、その可動範囲の一方側に寄せられた状態となる。図５は、この状態を示している。コリメートレンズ１５（レンズホルダ３１）を光軸方向に動かす場合には、コイル３３１に電流を流して、レンズホルダ３１に圧縮バネ３４の付勢力に抗する力を与える。コイル３３１に電流を流すことによって発生する電磁力と、圧縮バネ３４の付勢力との力関係によって、レンズホルダ３１の位置（コリメートレンズ１５の光軸方向の位置）が決まる。
【００４３】
なお、本実施形態では、レンズホルダ３１に、コリメートレンズ１５の光軸方向と平行な方向の力を付与するために１つの圧縮バネ３４を配置しているが、この数は適宜変更してよく、例えば圧縮バネの数は２つとされてもよい。この場合、２つの圧縮バネがレンズホルダ３１を挟むように配置されてよい。これにより、レンズホルダ３１の可動範囲の中央部に、２つのバネが釣り合う中立位置（原点位置）を配置でき、１つの圧縮バネ３４のみが配置される場合に比べて、レンズホルダ３１の移動の際に要する消費電力を低減させ易い。また、このような構成とすることによって、レンズホルダ３１を目的位置まで短時間で移動し易い。
【００４４】
また、弾性部３４は、圧縮バネに代えて引っ張りバネ等の他のバネ部材で構成しても構わない。また、弾性部３４は、場合によっては、バネ部材以外の弾性部材（例えばゴム部材等）で構成しても構わない。
【００４５】
以上のように設けられるレンズ駆動装置３０は、レンズホルダ３１を目的の位置（ここでは、原点からずれた位置を想定している）に配置する場合に、コイル３３１に常時通電する必要がある。このために、コイル３３１から発生する熱の量が非常に多くなり易い。コイル３３１から発生した熱は、その周辺に存在するレンズ等の光学部品に悪影響を及ぼすことがある。例えば、熱によってコリメートレンズ１５の特性変化が生じ、収差の影響によって光ピックアップ１の読み取り性能や書き込み性能が低下する場合がある。
【００４６】
この点、レンズ駆動装置３０では、コイル３３１をベース部材（ピックアップベース１０）に固定配置する構成であるために、コイル３３１から発生する熱を効率良く放熱しやすい。例えば、ベース部材１０に固定されるコイル３３に、熱伝導性の良い部材で構成される放熱部を当接させることによって、コイル３３１で発生する熱を効率良く放散できる。
【００４７】
なお、コイル３３１がレンズホルダ３１に搭載され、磁石３３２がベース１０に固定される構成では、放熱性の確保が難しい。これは、例えば、レンズホルダ３１には、コイル３３１の発熱を十分に放熱できるだけの放熱部を設けるのが難しく、また、ベース１０側に放熱部を配置するとレンズホルダ３１の移動を適切に行い難くなる等の理由による。
【００４８】
熱伝導性の良い部材で構成される放熱部は、例えば銀、アルミニウム、銅等の金属部材で構成してもよい。また、放熱部は、例えば、前述の金属部材と放熱グリスとの組み合わせ等であっても構わない。なお、コイル３３１は、絶縁部材で被膜されているために、導電性の部材に接触させてもショートは起きない。
【００４９】
放熱部は、コイル３３１の放熱性を確保する目的のみで導入された部材からなる構成でも構わない。ただし、本実施形態では、光ピックアップ１が既に備える部材を利用して放熱部が構成されるようにしている。すなわち、本実施形態では、光学部材を覆うカバー５０（図３参照）を用いて放熱部を構成している。放熱性を確保する目的で、カバー５０は、熱伝導性の良い金属部材で構成されている。
【００５０】
カバー５０は、図７Ａに示すように、コイル３３１に当接されてもよい。この場合、金属製のカバー５０のみで、本発明の放熱部を構成することになる。また、カバー５０は、図７Ｂに示すように、放熱グリス５１を介してコイル３３１に接続されても構わない。この場合には、金属製のカバー５０と放熱グリス５１とが本発明の放熱部を構成することになる。カバー５０は、光学部材を覆うために比較的大きな面積を有する。このために、カバー５０を放熱部として利用することで、コイル３３１の通電によって発生する熱が、ピックアップベース１０上の光学部材に悪影響を及ぼす可能性を抑制できる。
【００５１】
なお、光ピックアップ１を構成するピックアップベース１０が熱伝導性の良い部材で構成される場合には、ピックアップベース１０が放熱部として利用されてもよい。
【００５２】
＜その他＞
以上に示した実施形態は本発明の例示であり、本発明の適用範囲は、以上に示した実施形態の構成に限定されるものではない。本発明の技術的思想の範囲内で、実施形態に示した構成は適宜変更可能である。
【００５３】
例えば、以上に示した実施形態では、レンズ駆動装置３０はコリメートレンズ１５を移動する構成とされた。しかし、レンズ駆動装置３０が動かすレンズは、コリメートレンズ以外のレンズ（例えば、エキスパンダーレンズを構成する可動レンズ）であっても構わない。
【００５４】
また、本発明のレンズ駆動装置は、光ピックアップ以外の光学装置（例えばカメラ等）に適用されても構わない。
【符号の説明】
【００５５】
１  光ピックアップ
１０  ピックアップベース（ベース）
１１  半導体レーザ（光源）
１５  コリメートレンズ（レンズ）
１７  対物レンズ
３０  レンズ駆動装置
３１  レンズホルダ
３２  ガイドシャフト（ガイド部）
３３  駆動部
３４  弾性部
３５  ガイドレール（ガイド部）
５０  カバー（放熱部）
５１  放熱グリス（放熱部）
３３１  コイル
３３２  磁石
【図１】
2014093117.tif 000003
【図２】
2014093117.tif 000004
【図３】
2014093117.tif 000005
【図４】
2014093117.tif 000006
【図５】
2014093117.tif 000007
【図６】
2014093117.tif 000008
【図７Ａ】
2014093117.tif 000009
【図７Ｂ】
2014093117.tif 000010